【手続補正書】
【提出日】平成20年9月16日(2008.9.16)
【手続補正１】
【補正対象書類名】特許請求の範囲
【補正対象項目名】全文
【補正方法】変更
【補正の内容】
【特許請求の範囲】
【請求項１】
コンピュータにより実行可能な、オブジェクトを含むページ単位の文書データを編集するためのプログラムであって、
文書データから選択されたページのプレビュー画像と、文書データに含まれる複数のページについて、その各ページに含まれるオブジェクトをページの縦方向の位置を表す横投影画像または前記オブジェクトをページの横方向の位置を表す縦投影画像の少なくとも１つを含むユーザインターフェース画面を描画する描画工程と、
前記描画工程によって描画された横投影画像または縦投影画像のうちの１または複数の投影画像の選択に応じて、選択された投影画像に対応するオブジェクトを選択する選択工程と、
前記ユーザインターフェース画面において、選択されたオブジェクトに対して編集処理を実行する編集処理工程をコンピュータにより実行させるためのプログラムであって、
前記編集処理工程は、前記プレビュー画像を表示した状態で、前記プレビュー画像とは異なるページに属するオブジェクトに対して編集処理を実行することを特徴とするプログラム。
【請求項２】
前記描画工程では、文書データに含まれるオブジェクトの属するページ、ページにおける位置、サイズ、操作者による選択の有無を示す情報を含むオブジェクト情報を、前記プレビュー画像、横投影画像、縦投影画像のそれぞれについて作成し、前記オブジェクト情報に基づいて、ユーザインターフェース画面を描画することを特徴とする請求項１に記載のプログラム。
【請求項３】
前記編集処理工程では、操作者による１回の整列処理命令に応じて、前記ユーザインターフェース画面において選択された、複数の相異なるページに属する複数のオブジェクトを、操作者により選択されたオブジェクトを基準として整列させる整列処理を行うことを特徴とする請求項１または２に記載のプログラム。
【請求項４】
前記編集処理工程では、操作者による１回のページ内移動処理命令に応じて、前記ユーザインターフェース画面において選択された、複数の相異なるページに属する複数のオブジェクトをそれぞれのページ内において移動させるページ内移動処理を行うことを特徴とする請求項１乃至３のいずれか１項に記載のプログラム。
【請求項５】
前記編集処理工程では、操作者による１回のページ間移動処理命令に応じて、前記ユーザインターフェース画面において選択されたオブジェクトを、前記ユーザインターフェース画面において選択されたページに移動するページ間移動処理を行うことを特徴とする請求項１乃至４のいずれか１項に記載のプログラム。
【請求項６】
前記編集処理工程では、操作者による１回の複製処理命令に応じて、前記ユーザインターフェース画面において選択された複数のオブジェクトを、前記ユーザインターフェース画面において選択された複数のページに複製する複製処理を行うことを特徴とする請求項１乃至５のいずれか１項に記載のプログラム。
【請求項７】
前記編集処理工程は、前記選択工程により横投影画像が選択された場合、前記横投影画像に対応するオブジェクトに対して垂直方向の編集処理を許可し、前記選択工程により縦投影画像が選択された場合、前記縦投影画像に対応するオブジェクトに対して水平方向の編集処理を許可することを特徴とする請求項１乃至６のいずれか１項に記載のプログラム。
【請求項８】
前記文書データの各ページに含まれるオブジェクトの位置およびサイズを解析する解析工程をさらにコンピュータにより実行させ、
前記描画工程は、前記解析工程によって解析されたオブジェクトの位置およびサイズに基づいて投影画像を描画することを特徴とする請求項１乃至７のいずれか１項に記載のプログラム。
【請求項９】
前記描画工程は、前記解析工程によって解析されたオブジェクトの位置およびサイズに基づいて、オブジェクトの垂直方向に関する情報を横投影画像として描画し、オブジェクトの水平方向に関する情報を縦投影画像として描画することを特徴とする請求項８に記載のプログラム。
【請求項１０】
オブジェクトを含むページ単位の文書データを編集する文書編集方法であって、
文書データから選択されたページのプレビュー画像と、文書データに含まれる複数のページについて、その各ページに含まれるオブジェクトをページの縦方向の位置を表す横投影画像または前記オブジェクトをページの横方向の位置を表す縦投影画像の少なくとも１つを含むユーザインターフェース画面を描画する描画工程と、
前記描画工程によって描画された横投影画像または縦投影画像のうちの１または複数の投影画像の選択に応じて、選択された投影画像に対応するオブジェクトを選択する選択工程と、
前記ユーザインターフェース画面において、選択されたオブジェクトに対して編集処理を実行する編集処理工程を有し、
前記編集処理工程は、前記プレビュー画像を表示した状態で、前記プレビュー画像とは異なるページに属するオブジェクトに対して編集処理を実行することを特徴とする文書編集方法。
【請求項１１】
前記描画工程では、文書データに含まれるオブジェクトの属するページ、ページにおける位置、サイズ、操作者による選択の有無を示す情報を含むオブジェクト情報を、前記プレビュー画像、横投影画像、縦投影画像のそれぞれについて作成し、前記オブジェクト情報に基づいて、ユーザインターフェース画面を描画することを特徴とする請求項１０に記載の文書編集方法。
【請求項１２】
前記編集処理工程では、操作者による１回の整列処理命令に応じて、前記ユーザインターフェース画面において選択された、複数の相異なるページに属する複数のオブジェクトを、操作者により選択されたオブジェクトを基準として整列させる整列処理を行うことを特徴とする請求項１０または１１に記載の文書編集方法。
【請求項１３】
前記編集処理工程では、操作者による１回のページ内移動処理命令に応じて、前記ユーザインターフェース画面において選択された、複数の相異なるページに属する複数のオブジェクトをそれぞれのページ内において移動させるページ内移動処理を行うことを特徴とする請求項１０乃至１２のいずれか１項に記載の文書編集方法。
【請求項１４】
前記編集処理工程では、操作者による１回のページ間移動処理命令に応じて、前記ユーザインターフェース画面において選択されたオブジェクトを、前記ユーザインターフェース画面において選択されたページに移動するページ間移動処理を行うことを特徴とする請求項１０乃至１３のいずれか１項に記載の文書編集方法。
【請求項１５】
前記編集処理工程では、操作者による１回の複製処理命令に応じて、前記ユーザインターフェース画面において選択された複数のオブジェクトを、前記ユーザインターフェース画面において選択された複数のページに複製する複製処理を行うことを特徴とする請求項１０乃至１４のいずれか１項に記載の文書編集方法。
【請求項１６】
前記編集処理工程は、前記選択工程により横投影画像が選択された場合、前記横投影画像に対応するオブジェクトに対して垂直方向の編集処理を許可し、前記選択工程により縦投影画像が選択された場合、前記縦投影画像に対応するオブジェクトに対して水平方向の編集処理を許可することを特徴とする請求項１０乃至１５のいずれか１項に記載の文書編集方法。
【請求項１７】
前記文書データの各ページに含まれるオブジェクトの位置およびサイズを解析する解析工程をさらに有し、
前記描画工程は、前記解析工程によって解析されたオブジェクトの位置およびサイズに基づいて投影画像を描画することを特徴とする請求項１０乃至１６のいずれか１項に記載の文書編集方法。
【請求項１８】
前記描画工程は、前記解析工程によって解析されたオブジェクトの位置およびサイズに基づいて、オブジェクトの垂直方向に関する情報を横投影画像として描画し、オブジェクトの水平方向に関する情報を縦投影画像として描画することを特徴とする請求項１７に記載の文書編集方法。
【請求項１９】
オブジェクトを含むページ単位の文書データを編集する文書編集装置であって、
文書データから選択されたページのプレビュー画像と、文書データに含まれる複数のページについて、その各ページに含まれるオブジェクトをページの縦方向の位置を表す横投影画像または前記オブジェクトをページの横方向の位置を表す縦投影画像の少なくとも１つを含むユーザインターフェース画面を描画する描画手段と、
前記描画手段によって描画された横投影画像または縦投影画像のうちの１または複数の投影画像の選択に応じて、選択された投影画像に対応するオブジェクトを選択する選択手段と、
前記ユーザインターフェース画面において、選択されたオブジェクトに対して編集処理を実行する編集処理手段を有し、
前記編集処理手段は、前記プレビュー画像を表示した状態で、前記プレビュー画像とは異なるページに属するオブジェクトに対して編集処理を実行することを特徴とする文書編集装置。
【請求項２０】
前記描画手段では、文書データに含まれるオブジェクトの属するページ、ページにおける位置、サイズ、操作者による選択の有無を示す情報を含むオブジェクト情報を、前記プレビュー画像、横投影画像、縦投影画像のそれぞれについて作成し、前記オブジェクト情報に基づいて、ユーザインターフェース画面を描画することを特徴とする請求項１９に記載の文書編集装置。
【請求項２１】
前記編集処理手段では、操作者による１回の整列処理命令に応じて、前記ユーザインターフェース画面において選択された、複数の相異なるページに属する複数のオブジェクトを、操作者により選択されたオブジェクトを基準として整列させる整列処理を行うことを特徴とする請求項１９または２０に記載の文書編集装置。
【請求項２２】
前記編集処理手段では、操作者による１回のページ内移動処理命令に応じて、前記ユーザインターフェース画面において選択された、複数の相異なるページに属する複数のオブジェクトをそれぞれのページ内において移動させるページ内移動処理を行うことを特徴とする請求項１９乃至２１のいずれか１項に記載の文書編集装置。
【請求項２３】
前記編集処理手段では、操作者による１回のページ間移動処理命令に応じて、前記ユーザインターフェース画面において選択されたオブジェクトを、前記ユーザインターフェース画面において選択されたページに移動するページ間移動処理を行うことを特徴とする請求項１９乃至２２のいずれか１項に記載の文書編集装置。
【請求項２４】
前記編集処理手段では、操作者による１回の複製処理命令に応じて、前記ユーザインターフェース画面において選択された複数のオブジェクトを、前記ユーザインターフェース画面において選択された複数のページに複製する複製処理を行うことを特徴とする請求項１９乃至２３のいずれか１項に記載の文書編集装置。
【請求項２５】
前記編集処理手段は、前記選択手段により横投影画像が選択された場合、前記横投影画像に対応するオブジェクトに対して垂直方向の編集処理を許可し、前記選択手段により縦投影画像が選択された場合、前記縦投影画像に対応するオブジェクトに対して水平方向の編集処理を許可することを特徴とする請求項１９乃至２４のいずれか１項に記載の文書編集装置。
【請求項２６】
前記文書データの各ページに含まれるオブジェクトの位置およびサイズを解析する解析手段をさらに有し、
前記描画手段は、前記解析手段によって解析されたオブジェクトの位置およびサイズに基づいて投影画像を描画することを特徴とする請求項１９乃至２５のいずれか１項に記載の文書編集装置。
【請求項２７】
前記描画手段は、前記解析手段によって解析されたオブジェクトの位置およびサイズに基づいて、オブジェクトの垂直方向に関する情報を横投影画像として描画し、オブジェクトの水平方向に関する情報を縦投影画像として描画することを特徴とする請求項２６に記載の文書編集装置。
【手続補正２】
【補正対象書類名】明細書
【補正対象項目名】０００９
【補正方法】変更
【補正の内容】
【０００９】
本発明は上記従来例に鑑みてなされたもので以下の構成を備える。すなわち、コンピュータにより実行可能な、オブジェクトを含むページ単位の文書データを編集するためのプログラムであって、
文書データから選択されたページのプレビュー画像と、文書データに含まれる複数のページについて、その各ページに含まれるオブジェクトをページの縦方向の位置を表す横投影画像または前記オブジェクトをページの横方向の位置を表す縦投影画像の少なくとも１つを含むユーザインターフェース画面を描画する描画工程と、
前記描画工程によって描画された横投影画像または縦投影画像のうちの１または複数の投影画像の選択に応じて、選択された投影画像に対応するオブジェクトを選択する選択工程と、
前記ユーザインターフェース画面において、選択されたオブジェクトに対して編集処理を実行する編集処理工程をコンピュータにより実行させるためのプログラムであって、
前記編集処理工程は、前記プレビュー画像を表示した状態で、前記プレビュー画像とは異なるページに属するオブジェクトに対して編集処理を実行することを特徴とするプログラム。